(57)【特許請求の範囲】
【請求項１】
相手側コネクタ装置に設けられた第１の嵌合部と嵌合状態におかれる第２の嵌合部が設けられた絶縁性の絶縁ハウジングと、
前記第２の嵌合部に多極配列に配置される電気的接触部分を有して前記絶縁ハウジングに配され、前記第２の嵌合部が前記第１の嵌合部との嵌合状態におかれるとき、前記相手側コネクタ装置に配された導電性の複数の第１の導電コンタクトに接触接続される導電性の複数の第２の導電コンタクトと、
前記第２の嵌合部が前記第１の嵌合部との嵌合状態におかれるとき、前記第１の嵌合部の前記多極配列の方向における両側部分に配置された第１の嵌合案内部材に接触する第２の嵌合案内部材と、
前記絶縁ハウジングの少なくとも一部を覆って装着され、前記第２の嵌合部の前記第１の嵌合部との嵌合にあたり、前記多極配列の方向における両端部分が、前記相手側コネクタ装置の前記多極配列の方向における両端部に夫々当接されることで、前記絶縁ハウジングの位置，向き及び移動方向を規制するアライメントカバーと、
を備え、
前記アライメントカバーが、前記両端部分の夫々に、前記相手側コネクタ装置の両端部に所定の間隔をおいて対向する第１の案内部と、該第１の案内部から前記相手側コネクタ装置との嵌合方向の前方となる前記第２の嵌合部側に離隔した第２の案内部とが、前記第２の嵌合部の前記第１の嵌合部との嵌合にあたって前記相手側コネクタ装置における前記両端部に夫々当接するものとして設けられ、
前記第１の案内部が、前記第２の嵌合案内部材から前記相手側コネクタ装置との嵌合方向の前方となる前記第２の嵌合部側に離隔して配置されたものであって、
前記第２の案内部は、前記第２の嵌合部の前記第１の嵌合部との嵌合にあたって、前記相手側コネクタ装置の前記両端部に当接することによって、前記多極配列方向における第１段階の嵌合位置合わせを行う構成になされているとともに、
前記第１の案内部は、前記第２の嵌合部の前記第１の嵌合部との嵌合にあたって、前記第１の嵌合案内部材に前記第２の嵌合案内部材が接触する前の段階において、前記相手側コネクタ装置の両端部に当接することで、前記多極配列方向における第２段階の嵌合位置合わせを行う構成になされていることを特徴とするコネクタ装置。
【請求項２】
前記相手側コネクタ装置の前記両端部に対して、前記第１の案内部が、前記多極配列の方向及び前記嵌合方向の双方に直交する高さ方向に係合する構成になされていることを特徴とする請求項１記載のコネクタ装置。
【請求項３】
前記第２の案内部における前記相手側コネクタ装置の前記両端部に対する当接部位が、前記第１の案内部 における前記相手側コネクタ装置に対する前記両端部との当接部位に対して、前記多極配列方向において離間した位置に設定されていることを特徴とする請求項１記載のコネクタ装置。
【請求項４】
前記第１及び第２の案内部が、前記絶縁ハウジングの外面に沿って広がる部分から屈曲して伸びるものとされることを特徴とする請求項１記載のコネクタ装置。
【請求項５】
前記第２の嵌合部の前記第１の嵌合部との嵌合にあたり、前記第２の案内部が、前記相手側コネクタ装置の前記両端部に設けられた前記係合部に係合して前記絶縁ハウジングについての案内を行う構成と、前記第１の案内部が、前記係合部に係合する構成と、を備えていることを特徴とする請求項１記載のコネクタ装置。
【請求項６】
前記第１の案内部は、前記第２の嵌合部の前記第１の嵌合部との嵌合方向に対して傾斜する傾斜面と、前記多極配列の方向と前記嵌合方向の両方に直交する高さ方向に対して傾斜する傾斜面とを有していることを特徴とする請求項２又は請求項４記載のコネクタ装置。
【請求項７】
前記相手側コネクタ装置との嵌合状態を保持するバー状のロック部材が設けられたものであって、
前記アライメントカバーには、前記ロック部材が係合されるロック係止部が設けられていることを特徴とする請求項１記載のコネクタ装置。
【請求項８】
前記第１の案内部が、金属材からなるとともに、
前記相手コネクタ装置が、金属材からなる導電性シェルを備え、
前記相手コネクタ装置の一部であって前記第１の案内部と係合する部分が、前記導電性シェルの一部により構成されていることを特徴とする請求項１記載のコネクタ装置。
【発明の詳細な説明】
【技術分野】
【０００１】
本願の特許請求の範囲に記載された発明は、ケーブルやフレキシブル印刷配線基板（ＦＰＣ）等が連結されたもとで、例えば、ソリッド印刷配線基板等の主基板に取り付けられた相手側コネクタ装置との嵌合状態におかれ、ケーブルやＦＰＣ等と相手側コネクタ装置との電気的接続を果すコネクタ装置に関する。
【背景技術】
【０００２】
複数の比較的細いケーブルや比較的小型なＦＰＣ（Ｆｌｅｘｉｂｌｅ ｐｒｉｎｔｅｄ ｃｉｒｃｕｉｔｓ）を、各種の電気部品が取り付けられるソリッド印刷配線基板等の主基板に電気的に接続するにあたっては、複数のケーブルあるいはＦＰＣ等が連結されるケーブル側コネクタ装置とされる第１のコネクタ装置と、主基板に取り付けられて主基板との電気的接続がなされ、第１のコネクタ装置との嵌合状態におかれる基板側コネクタ装置とされる第２のコネクタ装置と、が用いられることが多い。第１のコネクタ装置からみると、第２のコネクタ装置は第１のコネクタ装置にとっての相手側コネクタ装置となり、第２のコネクタ装置からみると、第１のコネクタ装置は第２のコネクタ装置にとっての相手側コネクタ装置となる。
【０００３】
斯かる場合、第１のコネクタ装置は、例えば、第２のコネクタ装置との嵌合部を形成する嵌合凸部が設けられる絶縁ハウジングを備え、その嵌合凸部に、複数のケーブル等との電気的接続がなされる複数の導電コンタクトの部分が配列配置される、プラグコネクタを成すものとされる。そして、第１のコネクタ装置は、通常、外部からの電磁波ノイズ対策のため絶縁ハウジングを部分的に覆う金属板材製の導電性シェルや導電性カバーを備えていることが多い。また、第１のコネクタ装置の相手側コネクタ装置となる第２のコネクタ装置は、例えば、第１のコネクタ装置との嵌合部を形成して第１のコネクタ装置の絶縁ハウジングに設けられた嵌合凸部に嵌合する嵌合凹部が設けられる絶縁ハウジングを備え、その嵌合凹部に、各々の一端部が端子部とされて主基板に電気的に接続される複数の導電コンタクトの部分が配列配置される、リセプタクルコネクタを成すものとされる。そして、第２のコネクタ装置も、通常、外部からの電磁波ノイズ対策のため絶縁ハウジングを部分的に覆う金属板材製の導電性シェルや導電性カバーを備えていることが多い。このようなもとで、第１のコネクタ装置の絶縁ハウジングに設けられた嵌合凸部が第２のコネクタ装置の絶縁ハウジングに設けられた嵌合凹部との嵌合状態におかれるとき、第１のコネクタ装置における複数の導電コンタクトが、第２のコネクタ装置における複数の導電コンタクトに夫々接触接続される。
【０００４】
上述のようなケーブル側コネクタ装置とされる第１のコネクタ装置及び基板側コネクタ装置とされる第２のコネクタ装置にあっては、例えば、第２のコネクタ装置が主基板に取り付けられたもとで、複数のケーブルあるいはＦＰＣが連結された第１のコネクタ装置の絶縁ハウジングに設けられた嵌合凸部が、第２のコネクタ装置の絶縁ハウジングに設けられた嵌合凹部との嵌合状態におかれるにあたり、第２のコネクタ装置が取り付けられる主基板上において、高さ方向（主基板の基板面に直交する方向）における全体の寸法ができるだけ小とされることが、主基板の周囲スペースの低減化を図る観点から要望される。このような要望に応えるには、リセプタクルコネクタを成す第２のコネクタ装置が、その絶縁ハウジングに設けられた嵌合凹部が主基板の基板面に平行となる方向に開口するものとして、主基板に取り付けられるものとされ、プラグコネクタを成す第１のコネクタ装置が、主基板の基板面に沿って移動せしめられて、その絶縁ハウジングに設けられた嵌合凸部を第２のコネクタ装置の絶縁ハウジングに設けられた嵌合凹部に嵌合させるものとされる。
【０００５】
斯かる際、プラグコネクタを成す第１のコネクタ装置が備える嵌合凸部を、主基板に取り付けられたリセプタクルコネクタを成す第２のコネクタ装置が備える嵌合凹部に嵌合させるにあたっては、嵌合凸部を、嵌合凹部に対して適正な位置と向きとをもって対向させた後、適正な方向に移動させて、嵌合凹部との嵌合状態におくことが必要とされる。そのため、プラグコネクタを成す第１のコネクタ装置に、その嵌合凸部を越えて外方に突出する案内嵌合部を設けるとともに、リセプタクルコネクタを成す第２のコネクタ装置に、第１のコネクタ装置に設けられた案内嵌合部を受け入れる嵌合孔部を設けて、第１のコネクタ装置が備える嵌合凸部を第２のコネクタ装置が備える嵌合凹部に嵌合させる際には、嵌合凸部の嵌合凹部との嵌合に先立って、案内嵌合部を嵌合孔部に嵌合させ、それにより、嵌合凸部の嵌合凹部に対向する位置と向きとを決めるとともに、嵌合凹部に対する移動方向を決めて、嵌合凸部を、嵌合凹部に対する適正な位置と向きと移動方向とをもって、嵌合凹部に嵌合するものとなす方策が従来提案されている（例えば、特許文献１参照。）。
【０００６】
上述の特許文献１に記載されている従来提案されている方策がとられる場合には、プラグコネクタを成す第１のコネクタ装置（プラグ２０）に、絶縁ハウジング（ケーブル側ハウジング２１）に設けられた複数の保護
片（３４）を形成するとともに複数の接触部（２４）が配列配置された嵌合凸部に加えて、その嵌合凸部を挟む位置において嵌合凸部を越えて外方に突出する一対の案内嵌合部（嵌合腕３０）が設けられ、一方、リセプタクルコネクタを成す第２のコネクタ装置（リセプタクル７０）の絶縁ハウジング（基板側ハウジング７１）に、第１のコネクタ装置の嵌合凸部が嵌合する嵌合凹部（嵌入溝８０）が設けられるとともに、その嵌合凹部を挟む位置に第１のコネクタ装置の一対の案内嵌合部が夫々嵌合する一対の嵌合孔部（嵌合孔７９）が設けられる。そして、第１のコネクタ装置が備える嵌合凸部を第２のコネクタ装置が備える嵌合凹部に係合させるにあたっては、先ず、第１のコネクタ装置に設けられた一対の案内嵌合部を第２のコネクタ装置に設けられた一対の嵌合孔部に夫々嵌合させ、第１のコネクタ装置が第２のコネクタ装置に対して案内嵌合部と嵌合孔部とによる案内を受けるようにしたもとで、第１のコネクタ装置が備える嵌合凸部を第２のコネクタ装置が備える嵌合凹部との嵌合状態をとるものとなす。
【０００７】
なお、各々の接触子が相互当接するものとされる一対のコネクタ装置（第１及び第２のコネクタ装置）であって、第１のコネクタ装置の接触子を第２のコネクタ装置の接触子に当接させるにあたり、第１のコネクタ装置に設けられた突出案内部（案内嵌合部）を第２のコネクタ装置に設けられた没入案内部（嵌合孔部）に嵌合させるようにしたものも従来提案されている（例えば、特許文献２参照。）。
【０００８】
斯かる特許文献２に記載されたような一対のコネクタ装置にあっても、第１のコネクタ装置の接触子の第２のコネクタ装置の接触子との当接に先立って、第１のコネクタ装置に設けられた案内嵌合部を成す突出案内部が第２のコネクタ装置に設けられた嵌合孔部を成す没入案内部に嵌合せしめられることにより、第１のコネクタ装置の第２のコネクタ装置に対する位置と向きと移動方向とが決められる。
【先行技術文献】
【特許文献】
【０００９】
【特許文献１】特開２００２−９３５２８号公報（第３〜５頁、図１）
【特許文献２】特開２００１−２２３０５７号公報（第３〜４頁、図１，２及び４）
【発明の開示】
【発明が解決しようとする課題】
【００１０】
上述の従来のコネクタ装置にあっては、第１のコネクタ装置が備える嵌合凸部の第２のコネクタ装置が備える嵌合凹部との嵌合、あるいは、第１のコネクタ装置の接触子の、第２のコネクタ装置の接触子との当接は、第１のコネクタ装置に設けられた案内嵌合部が第２のコネクタ装置に設けられた嵌合孔部に嵌合せしめられて、第１のコネクタ装置が第２のコネクタ装置に対して案内嵌合部と嵌合孔部とによる案内を受け、それにより、第２のコネクタ装置に対する位置と向きと移動方向とが定められたもとで行われる。このように、第１のコネクタ装置に設けられた案内嵌合部が第２のコネクタ装置に設けられた嵌合孔部に嵌合せしめられた後においては、第１のコネクタ装置が備える嵌合凸部の第２のコネクタ装置が備える嵌合凹部との嵌合、あるいは、第１のコネクタ装置の接触子の第２のコネクタ装置の接触子との当接が、適正かつ円滑に行われることが期待されるが、第１のコネクタ装置に設けられた案内嵌合部の第２のコネクタ装置に設けられた嵌合孔部との嵌合については、第１のコネクタ装置が第２のコネクタ装置に対する何らの案内も受けないもとで行われることになるので、その円滑な達成は保証されない。
【００１１】
即ち、前述の従来のコネクタ装置にあっては、第１のコネクタ装置に設けられた案内嵌合部を第２のコネクタ装置に設けられた嵌合孔部に嵌合させることにより、第１のコネクタ装置が備える嵌合凸部の第２のコネクタ装置が備える嵌合凹部との嵌合、あるいは、第１のコネクタ装置の接触子の第２のコネクタ装置の接触子との当接が、適正かつ円滑に行われるようになす状態を得ることが意図されているのであるが、斯かる状態を容易かつ円滑に得ることが困難とされているのである。
【００１２】
斯かる点に鑑み、本願の特許請求の範囲に記載された発明は、絶縁ハウジングに設けられて複数の導電コンタクトにおける接触部分（電極部）が配列配置される嵌合凸部を、相手側コネクタ装置に設けられた嵌合凹部に嵌合させて、複数の導電コンタクトにおける接触部分を相手側コネクタ装置に配された導電コンタクトに接触接続させるにあたり、絶縁ハウジングに設けられた嵌合凸部の相手側コネクタ装置に設けられた嵌合凹部との嵌合が適正かつ円滑に行われるようになす状態を、容易かつ円滑に得ることができることになるコネクタ装置を提供する。
【課題を解決するための手段】
【００１３】
本願の特許請求の範囲における請求項１に記載された発明に係るコネクタ装置は、相手側コネクタ装置に設けられた第１の嵌合部との嵌合状態におかれる第２の嵌合部が設けられた絶縁性の絶縁ハウジングと、前記第２の嵌合部に多極配列に配置される電気的接触部分を有して前記絶縁ハウジングに配され、前記第２の嵌合部が前記第１の嵌合部との嵌合状態におかれるとき、前記相手側コネクタ装置に配された導電性の複数の第１の導電コンタクトに接触接続される導電性の複数の第２の導電コンタクトと、前記第２の嵌合部が前記第１の嵌合部との嵌合状態におかれるとき、前記第１の嵌合部の前記多極配列の方向における両側部分に配置された第１の嵌合案内部材に接触する第２の嵌合案内部材と、前記絶縁ハウジングの少なくとも一部を覆って装着され、前記第２の嵌合部の前記第１の嵌合部との嵌合にあたり、前記多極配列の方向における両端部分が、前記相手側コネクタ装置の前記多極配列の方向における両端部に夫々当接されることで、前記絶縁ハウジングの位置，向き及び移動方向を規制するアライメントカバーと、を備え、前記アライメントカバーが、前記両端部分の夫々に、前記相手側コネクタ装置の両端部に所定の間隔をおいて対向する第１の案内部と、該第１の案内部から前記相手側コネクタ装置との嵌合方向の前方となる前記第２の嵌合部側に離隔した第２の案内部とが、前記第２の嵌合部の前記第１の嵌合部との嵌合にあたって前記相手側コネクタ装置における前記両端部に夫々当接するものとして設けられ、前記第１の案内部が、前記第２の嵌合案内部材から前記相手側コネクタ装置との嵌合方向の前方となる前記第２の嵌合部側に離隔して配置されたものであって、前記第２の案内部は、前記第２の嵌合部の前記第１の嵌合部との嵌合にあたって、前記相手側コネクタ装置の前記両端部に当接することによって、前記多極配列方向における第１段階の嵌合位置合わせを行う構成になされているとともに、前記第１の案内部は、前記第２の嵌合部の前記第１の嵌合部との嵌合にあたって、前記第１の嵌合案内部材に前記第２の嵌合案内部材が接触する前の段階において、前記相手側コネクタ装置の両端部に当接することで、前記多極配列方向における第２段階の嵌合位置合わせを行う構成になされている。
【００１４】
このような構成によれば、両コネクタ同士の嵌合が行われるにあたって、導電コンタクトの多極配列の方向における嵌合の位置合わせが、アライメントカバーに設けられた第２の案内部による第１段階の嵌合位置合わせと、第１の案内部による第２段階の嵌合位置合わせとに分けて行われる。
【００１５】
また、請求項２記載の発明は、前記相手側コネクタ装置の前記両端部に対して、前記第１の案内部が、前記多極配列の方向及び前記嵌合方向の双方に直交する高さ方向に係合する構成になされている。
【００１６】
このような構成によれば、相手側コネクタ装置に対して第１の案内部が高さ方向に保持されることから、アライメントカバーの全体が高さ方向に良好に保持される。
【００１７】
さらに、請求項３記載の発明は、前記第２の案内部における前記相手側コネクタ装置の前記両端部に対する当接部位が、前記第１の案内部 における前記相手側コネクタ装置に対する前記両端部との当接部位に対して、前記多極配列方向において離間した位置に設定されている。
【００１８】
このような構成によれば、嵌合の位置合わせに必要な構成が簡易化される。
【００１９】
さらにまた、請求項４記載の発明は、前記第１及び第２の案内部が、前記絶縁ハウジングの外面に沿って広がる部分から屈曲して伸びるものとされる。
【００２０】
また、請求項５記載の発明は、前記第２の嵌合部の前記第１の嵌合部との嵌合にあたり、前記第２の案内部が、前記相手側コネクタ装置の前記両端部に設けられた係合部に係合して前記絶縁ハウジングについての案内を行う構成と、前記第１の案内部が、前記係合部に係合する構成と、を備えていることを特徴とする請求項１記載のコネクタ装置である。
【００２１】
さらに、請求項６記載の発明は、前記第１の案内部は、前記第２の嵌合部の前記第１の嵌合部との嵌合方向に対して傾斜する傾斜面と、前記多極配列の方向と前記嵌合方向の両方に直交する高さ方向に対して傾斜する傾斜面とを有する構成になされている。
【００２２】
このような構成によれば、多極配列の方向における嵌合の位置合わせが行われる際に、多極配列の方向に直交する高さ方向の位置合わせも同時に行われる。
【００２３】
さらに、請求項７記載の発明は、前記相手側コネクタ装置との嵌合状態を保持するバー状のロック部材が設けられたものであって、前記アライメントカバーには、前記ロック部材が係合されるロック係止部が設けられた構成を有している。
【００２４】
このような構成によれば、バー状のロック部材を備えたコネクタにおいても同様な作用・効果を奏する。
【００２５】
さらにまた、請求項８記載の発明は、前記第１の案内部が、金属材からなるとともに、
前記相手コネクタ装置が、金属材からなる導電性シェルを備え、前記相手コネクタ装置の一部であって前記第１の案内部と係合する部分が、前記導電性シェルの一部により構成されている。
【００２６】
このような構成によれば、相手側コネクタ装置との嵌合時に、第１の案内部が、相手コネクタ装置の導電性シェルの一部に対して、金属同士の接触として係合されるため、嵌合時における強度が高められる。
【発明の効果】
【００２７】
以上のように本発明は、相手側コネクタ装置に設けられた第１の嵌合部に絶縁ハウジングに設けられた第２の嵌合部が嵌合する際に、絶縁ハウジングに装着されるアライメントカバーによって、第２の嵌合部の第１の嵌合部との嵌合に先立って、絶縁ハウジングの位置，向き及び移動方向が規制され、それにより、相手側コネクタ装置に設けられた第１の嵌合部に対する絶縁ハウジングに設けられた第２の嵌合部の位置，向き及び移動方向が定められたもとで、第２の嵌合部が第１の嵌合部に嵌合する状態がとられ、複数の導電コンタクトにおける接触部分が配列配置される第１の嵌合部を、絶縁ハウジングに設けられた第２の嵌合部に嵌合させて、複数の導電コンタクトにおける電気的接触部分を相手側コネクタ装置に配された導電コンタクトに接触接続させるにあたって、絶縁ハウジングに設けられた第２の嵌合部の相手側コネクタ装置に設けられた第１の嵌合部との嵌合が適正かつ円滑に行われるようになす状態を、容易かつ円滑に得ることができる。
【図面の簡単な説明】
【００２８】
【図１】本発明の一実施形態に係るコネクタ装置（プラグコネクタ装置）に複数のケーブルが連結された状態を前方側の上方から表した外観斜視説明図である。
【図２】図１に表した本発明の一実施形態に係るコネクタ装置（プラグコネクタ装置）を前方側の下方側を上にして表した外観斜視説明図である。
【図３】図１及び図２に示されたコネクタ装置（プラグコネクタ装置）の平面説明図である。
【図４】図１〜図３に示されたコネクタ装置（プラグコネクタ装置）の正面説明図である。
【図５】図１〜図４に示されたコネクタ装置（プラグコネクタ装置）の側面説明図である。
【図６】図１〜図５に示されたコネクタ装置（プラグコネクタ装置）からアライメントカバーを取り外したコネクタ本体部に複数のケーブルが連結された状態を前方側の上方から表した外観斜視説明図である。
【図７】図１〜図５に示されたコネクタ装置（プラグコネクタ装置）に取り付けられるアライメントカバーの単体を前方側の上方から表した外観斜視説明図である。
【図８】図７に示されたアライメントカバーの平面説明図である。
【図９】図７及び図８に示されたアライメントカバーの正面説明図である。
【図１０】図７〜図９に示されたアライメントカバーの側面説明図である。
【図１１】本発明の一実施形態に係るコネクタ装置（プラグコネクタ装置）に対する相手側コネクタ装置の一例をなす基板側コネクタ装置（リセプタクルコネクタ装置）を後方側の上方から表した外観斜視説明図である。
【図１２】図１１に示された基板側コネクタ装置の平面説明図である。
【図１３】図１１及び図１２に示された基板側コネクタ装置の背面説明図である。
【図１４】図１１〜図１３に示された基板側コネクタ装置の側面説明図である。
【図１５】図１〜図５に示されたコネクタ装置が、図１１〜図１４に示された基板側コネクタ装置（リセプタクルコネクタ装置）に対して嵌合を開始して、コネクタ装置（プラグコネクタ装置）における一方側の係合案内部が基板側コネクタ装置における一方側の係合部に接触した状態を表したものであって、コネクタ装置（プラグコネクタ装置）に設けられた導電性シェルの両側部分を一部破断して表した平面説明図である。
【図１６】図１５の状態からコネクタ装置が基板側コネクタ装置側に押し込まれて、コネクタ装置における一方側の第２の案内部が基板側コネクタ装置における一方側の係合部に乗り上げるように当接した状態を表した平面説明図である。
【図１７】図１６の状態からコネクタ装置が基板側コネクタ装置側にさらに押し込まれることで、コネクタ装置における一方側の第１の案内部が基板側コネクタ装置における一方側の係合部に接触した状態を表した平面説明図である。
【図１８】図１７の状態からコネクタ装置が基板側コネクタ装置側にさらに押し込まれることによって、コネクタ装置における一方側の第１の案内部が、基板側コネクタ装置における一方側の係合部に乗り上げるように当接した後に、コネクタ装置における他方側の第２の嵌合案内部材が、基板側コネクタ装置における他方側の第１の嵌合案内部材（弾性片部）に接触した状態を表した平面説明図である。
【図１９】図１８の状態からコネクタ装置が基板側コネクタ装置側にさらに押し込まれることにより、コネクタ装置における他方側の第２の嵌合案内部材が、基板側コネクタ装置における第１の嵌合案内部材（弾性片部）に沿って移動した状態を表した平面説明図である。
【図２０】図１９の状態からコネクタ装置が基板側コネクタ装置側にさらに押し込まれることによって、コネクタ装置が基板側コネクタ装置との係合を完了した状態を表した平面説明図である。
【図２１】図２０の状態から嵌合保持部材（ロックバー）が嵌合作用位置まで回動された状態を表した平面説明図である。
【図２２】図２０における XXII−XXII 線に沿った断面説明図である。
【発明を実施するための形態】
【００２９】
以下、本願発明を実施するための形態を図面に基づいて詳細に説明する。
【００３０】
［プラグコネクタについて］
図１及び図２は、本願発明に係るコネクタ装置の一例を、それに連結された複数のケーブルと共に示す。図１及び図２において、本願発明に係るコネクタ装置の一例を成すコネクタ装置（プラグコネクタ装置）１１は、コネクタ本体部１２と、それに取り付けられたアライメントカバー１３とを含んで構成されている。このコネクタ装置１１は、コネクタ本体部１２に例えば、複数の同軸ケーブル１４が電気的に連結されたもとで、例えば、ソリッド印刷配線基板とされる基板にそれに設けられた電気回路構成部との電気的接続がなされて取り付けられた、基板側コネクタ装置とされる相手側コネクタ装置に嵌合する、ケーブル側コネクタ装置として用いられる。
【００３１】
コネクタ本体部１２は、図３及び図４に示されるように、合成樹脂等の絶縁材料によって形成された絶縁ハウジング１５、外部からの電磁波ノイズ対策のため絶縁ハウジング１５の外面部を部分的に覆うものとされた、例えば、各々が弾性を有した金属板材料が屈曲されて成る導電性シェル１６を備えている。
【００３２】
絶縁ハウジング１５には、後述する相手側コネクタ装置（リセプタクルコネクタ装置）３０に設けられた嵌合凹部３３との嵌合状態におかれる、絶縁ハウジング１５の長手方向（図１及び図２に示す矢印Ｌにより示される方向であって、以下、単にＬ方向という。）に伸びる嵌合凸部１７が設けられている。また、絶縁ハウジング１５には、図６に示すように各々が、例えば、弾性を有した金属材料が屈曲されて形成された複数の導電コンタクト１８が、夫々の接触部分（電極部）が嵌合凸部１７にＬ方向に沿って多極状に配列配置されている。従って、Ｌ方向は、嵌合凸部１７に配列配置された複数の導電コンタクト１８の接触部分（電極部）の多極配列方向でもある。
【００３３】
複数の導電コンタクト１８の夫々における嵌合凸部１７に配列配置された接触部分（電極部）は、嵌合凸部１７が相手側コネクタ装置３０に設けられた嵌合凹部３３との嵌合状態におかれるとき、その相手側コネクタ装置３０に配されて基板との電気的接続がなされた複数の導電コンタクト３４のうちの対応するものに接触接続され、それにより、複数の導電コンタクト１８が相手側コネクタ装置３０における複数の導電コンタクト３４に夫々接続されることになる。また、複数の導電コンタクト１８の夫々には、複数の同軸ケーブル１４のうちの対応するものの信号導体が接続される。複数の同軸ケーブル１４の夫々は、その信号導体が導電コンタクト１８に接続されるとともに、その接地導体が導電性シェル１６に接触接続されて、コネクタ本体部１２に電気的に連結される。
【００３４】
導電性シェル１６は、絶縁ハウジング１５の図１において上側となる外面（以下、上面という）を部分的に覆うものとされた上面側半体と、絶縁ハウジング１５の図１において下側となる外面（以下、底面という）を部分的に覆うものとされた底面側半体とが、各々のＬ方向（多極配列方向）の両端部において相互連結されて構成されている。即ち、導電性シェル１６のＬ方向（多極配列方向）における端部１６ａ及び１６ｂは，上面側半体と底面側半体とが相互係合する部分とされているのである。
【００３５】
そして、導電性シェル１６の上面側半体には、導電性シェル１６の端部１６ａを形成する一端部の近傍に、絶縁ハウジング１５の嵌合凸部１７が相手側コネクタ装置３０に設けられた嵌合凹部３３との嵌合状態におかれるとき、相手側コネクタ装置３０の導電性シェル３２に設けられた係合孔３６ａに係合する係合突起１６ｃが設けられ、また、導電性シェル１６の端部１６ｂを形成する他端部の近傍に、絶縁ハウジング１５の嵌合凸部１７が相手側コネクタ装置３０に設けられた嵌合凹部３３との嵌合状態におかれるとき、相手側コネクタ装置３０の導電性シェル３２に設けられた係合孔３６ｂに係合する係合突起１６ｄが設けられている。係合突起１６ｃ及び１６ｄの夫々は、導電性シェル１６の上面側半体の一部に形成されていて、相手側コネクタ装置３０の導電性シェル３２に設けられた係合孔３６ａ，３６ｂとの係合、及びその係合孔３６ａ，３６ｂからの離脱を、導電性シェル３２の係合孔３６ａ，３６ｂが形成された周辺部の弾性変形を伴って行う。
【００３６】
特に図７〜図１０に示されているように、アライメントカバー１３は、例えば、弾性を有した金属板材料が屈曲されて形成されて、コネクタ本体部１２における導電性シェル１６に、その上面側半体の外面を部分的に覆って装着されるものとされる。そして、そのアライメントカバー１３は、図１に示されるように、導電性シェル１６に装着されたとき当該導電性シェル１６の上面側半体を一部分を残して全面的に覆う平板状部２０を有しており、導電性シェル１６に装着されたとき平板状部２０のＬ方向における両端部となる一対の端部の一方に、平板状部２０、つまり導電性シェル１６の外面に沿って広がる部分から後述する第２の嵌合案内部材２５Ａの端面部２５ａに近付く方向に屈曲して伸びる係合部２１ａと、二体の案内部としての第２の案内部２２ａ及び第１の案内部２３ａとが設けられている。
【００３７】
また、上述の一対の端部の他方には、平板状部２０、つまり導電性シェル１６の外面に沿って広がる部分から後述する第２の嵌合案内部材２５Ｂの端面部２５ｂに近付く方向に屈曲して伸びる係合部２１ｂと、二体の案内部としての第２の案内部２２ｂ及び第１の案内部２３ｂとが設けられている。なお、導電性シェル１６を用いない場合における係合部２１ａ，２１ｂ並びに第２の案内部２２ａ，２２ｂ及び第１の案内部２３ａ，２３ｂは、絶縁ハウジングの外面に沿って広がる部分から後述する第２の嵌合案内部材２５Ａ及び２５Ｂの各端面部２５ａ及び２５ｂに近付く方向に屈曲して伸びる構成になされる。
【００３８】
このときの第２の案内部２２ｂは、上述した平板状部２０の屈曲部分における嵌合方向の前方側、すなわち上述したＬ方向（多極配列方向）に直交するＳ方向（矢印Ｓにより示される方向）において絶縁ハウジング１５の嵌合凸部１７の先端側に配置されている。また、その第２の案内部２２ｂの嵌合方向の後方側、すなわち上述したＬ方向に直交するＳ方向（矢印Ｓにより示される方向）において絶縁ハウジング１５の嵌合凸部１７の先端から離れる側に、第１の案内部２３ｂが設けられている。さらに、第２の案内部２２ｂの前端部分、すなわち第１の案内部２３ｂ側とは反対側の端部分は、Ｌ方向の外方に向かって屈曲されて傾斜面を成す係合案内部２４ｂに形成されており、同様に、第２の案内部２２ａの前端部分、すなわち第１の案内部２３ａ側とは反対側の端部分は、Ｌ方向の外方に屈曲されて傾斜面を成す係合案内部２４ａに形成されている。
【００３９】
また、第１の案内部２３ａ及び２３ｂは、上述した平板状部２０の屈曲部分を、アライメントカバー１３が導電性シェル１６に装着されたときＬ方向（多極配列方向）となる方向の内方側（コネクタ内方側）に向かって突出させた形状になされている。より具体的には、上述した平板状部２０の屈曲部分における下端縁を含む下半部分をコネクタ内方に張り出させたものであって、Ｌ方向に見たときの傾斜面、すなわち絶縁ハウジング１５の嵌合凸部１７が相手側コネクタ装置３０に設けられた嵌合凹部３３に対して嵌合される方向に対して傾斜する傾斜面が、当該第１の案内部２３ａ及び２３ｂの前端面及び後端面を形成するように設けられている。さらに、この第１の案内部２３ａ及び２３ｂには、Ｓ方向に見たときの傾斜面、すなわち上述した多極配列の方向及び嵌合方向（Ｓ方向）の両方に直交する上下方向に対して傾斜する傾斜面が設けられている。
【００４０】
このように、第１の案内部２３ａ，２３ｂが、第２の嵌合部（プラグ嵌合凸部１７）の第１の嵌合部３３との嵌合方向に対して傾斜する傾斜面と、多極配列の方向と嵌合方向の両方に直交する高さ方向に対して傾斜する傾斜面とを有する構成になされていれば、多極配列の方向における嵌合の位置合わせが行われる際に、多極配列の方向に直交する高さ方向の位置合わせも同時に行われる。
【００４１】
そして、第１の案内部２３ａは、アライメントカバー１３が導電性シェル１６に装着されたときＬ方向（多極配列方向）となる方向において第２の案内部２２ａより内方に突出するものとされており、同様に、第１の案内部２３ｂは、導電性シェル１６に装着されたときＬ方向となる方向において第２の案内部２２ｂより内方に突出するものとされている。
【００４２】
そして、上述したアライメントカバー１３は、コネクタ本体部１２における導電性シェル１６に、その平面状部２０が導電性シェル１６の上面側半体の外面を僅かな部分を残して略全面的に覆い、その係合部２１ａ及び２１ｂが導電性シェル１６の両端部１６ａ及び１６ｂに夫々係合する状態をもって、装着されている。このような、アライメントカバー１３の導電性シェル１６への装着にあたっては、アライメントカバー１３が導電性シェル１６に半田付けされて固定されるようにされてもよい。
【００４３】
このようにアライメントカバー１３が導電性シェル１６に装着されることによって、図１及び図２に示されるコネクタ装置（プラグコネクタ）１１が得られる。そのコネクタ装置１１にあっては、アライメントカバー１３の平面状部２０が、導電性シェル１６の上面側半体からＬ方向（多極配列方向）に直交するＳ方向（矢印Ｓにより示される方向）において絶縁ハウジング１５の嵌合凸部１７側に張り出しており、嵌合凸部１７の上面を、それとの間に所定の間隔をおいて覆っている。また、アライメントカバー１３の平面状部２０は、導電性シェル１６の上面側半体からＬ方向において導電性シェル１６の端部１６ａ側及び端部１６ｂ側にも張り出している。
【００４４】
それにより、図２に示されるように、アライメントカバー１３に設けられた平板状部２０の屈曲部分が、絶縁ハウジング１５のＬ方向（多極配列方向）における一端部分に設けられた第２の嵌合案内部材２５Ｂの端面部２５ｂに対して所定の間隔をおいて対向するものとされるとともに、アライメントカバー１３に設けられた第２の案内部２２ｂが、第１の案内部２３ｂから絶縁ハウジング１５の嵌合凸部１７の先端側（嵌合方向の前方側）に離隔したものとされ、同様に、アライメントカバー１３に設けられた第２の案内部２２ａが、第１の案内部２３ａから絶縁ハウジング１５の嵌合凸部１７の先端側（嵌合方向の前方側）に離隔したものとされる。
【００４５】
なお、図１及び図２に示される例にあっては、絶縁ハウジング１５の両端部分に設けられた第２の嵌合案内部材２５Ａ及び２５Ｂの各端面部２５ａ及び２５ｂの夫々は、その外面が導電性シェル１６によって覆われていないが、その外面が導電性シェル１６の一部によって覆われるようにされてもよい。
【００４６】
［嵌合保持部材について］
一方、コネクタ装置（プラグコネクタ装置）１１が相手側コネクタ装置（リセプタクルコネクタ装置）３０に嵌合された嵌合状態は、コネクタ装置１１に設けられた嵌合保持部材（ロックバー）２６によって維持される構成が採用されている。また、相手側コネクタ装置３０に嵌合したそのコネクタ装置１１を相手側コネクタ装置から抜去するにあっては、嵌合保持部材２６を開放させる操作が行われることによって、両コネクタ装置１１,３０同士が抜去可能な状態になされる。
【００４７】
すなわち、上述した嵌合保持部材（ロックバー）２６は、コネクタ装置（プラグコネクタ）１１の導電性シェル１６の端部１６ａに回動可能に取り付けられた構成になされており、当該嵌合保持部材１５のコネクタ長手方向両端部分に設けられた回動軸部２６ａ，２６ｂが、導電性シェル１６の端部１６ａ，１６ｂに設けられた軸受け部２６ｃ，２６ｄに回動可能に挿入されている。この嵌合保持部材１５に設けられた一対の回動軸部２６ａ，２６ｂは、軸受け部２６ｃ，２６ｄに設けられたバネ規制部材２６ｅ，２６ｆの付勢力が付与されており、それによって「嵌合開放位置」及び「嵌合作用位置」に回動軸部２６ａ，２６ｂが保持される構成になされている。
【００４８】
また、上述した回動軸部２６ａ，２６ｂにおけるコネクタ長手方向の外端部分からは、連結腕部２６ｇ，２６ｈが、回動半径方向にほぼ沿うようにして延出しており、その連結腕部２６ｇ，２６ｈの延出端部分である回動側の先端部分どうしが、コネクタ長手方向に沿って略直線状に延在する回動操作部２６ｉにより一体的に連結されている。そして、その回動操作部２６ｉの一部を作業者が把持して適宜の回動力を付与することによって、前記嵌合回動アーム２６の全体が、例えば、図６に示す「嵌合開放位置」と、図１に示す「嵌合作用位置」との間で回動されるようになっている。
【００４９】
このように、コネクタ装置（プラグコネクタ）１１が相手側コネクタ装置３０に嵌合された状態において、嵌合保持部材（ロックバー）２６を「嵌合開放位置」から「嵌合作用位置」まで回動させれば、当該嵌合保持部材２６の連結腕部２６ｇ，２６ｈが、アライメントカバー１３におけるＬ方向（多極配列方向）の両端部に設けられたバーロック部２７ａ，２７ｂに対して下方側から当接し、それによってコネクタ装置１１の嵌合凸部１７が基板側コネクタ装置３０の嵌合凹部３３に嵌合された状態が保持されるようになっている。
【００５０】
このときのバーロック部２７ａ，２７ｂは、上述したアライメントカバー１３の第１の案内部２３ａ，２３ｂの後方側、すなわち上述したＬ方向（多極配列方向）に直交するＳ方向（矢印Ｓにより示される方向）において絶縁ハウジング１５の嵌合凸部１７から離れる側に配置されており、アライメントカバー１３を前方側、すなわち前記Ｌ’方向に直交するＳ方向（矢印Ｓにより示される方向）において絶縁ハウジング１５の嵌合凸部１７側からＳ方向に見たときの断面形状が、Ｌ方向の外方側（コネクタ外方側）に突出する略三角形状をなしている。そして、嵌合保持部材２６を「嵌合開放位置」から「嵌合作用位置」に向かって回動させる際に、当該嵌合保持部材１５の連結腕部２６ｇ，２６ｈが、自身の弾性力によって上述したバーロック部２７ａ，２７ｂの突出頂部を上方側から下方に向かって乗り越えるようにして移動していき、上述したバーロック部２７ａ，２７ｂの下方に夫々落ち込むようにして「嵌合作用位置」に至ることで、嵌合保持部材（ロックバー）２６の保持が行われるようになっている。
【００５１】
［リセプタクルコネクタについて］
図１１〜図１４には、コネクタ装置（プラグコネクタ装置）１１に対する相手側コネクタ装置の一例を成す基板側コネクタ装置（リセプタクルコネクタ装置）３０が示されている。
【００５２】
図１１〜図１４において、基板側コネクタ装置（リセプタクルコネクタ装置）３０は、例えば、ソリッド印刷配線基板とされる基板にそれに設けられた電気回路構成部との電気的接続がなされて取り付けられた状態のもとで、コネクタ装置１１が嵌合するものとされている。そして、基板側コネクタ装置３０は、合成樹脂等の絶縁材料によって形成された絶縁ハウジング３１、及び、外部からの電磁波ノイズ対策のため絶縁ハウジング３１の外面部の殆どを覆うものとされた、例えば、弾性を有した金属板材料が屈曲されて成る導電性シェル３２を備えている。
【００５３】
絶縁ハウジング３１及び導電性シェル３２には、コネクタ装置（プラグコネクタ装置）１１に設けられた嵌合凸部１７との嵌合状態におかれる、絶縁ハウジング３１の長手方向（図１１の矢印Ｌ’により示される方向であって、以下、単にＬ’方向という。）に伸びる第１の嵌合部となる嵌合凹部３３が設けられている。また、絶縁ハウジング３１には、各々が、例えば、弾性を有した金属材料が屈曲されて形成された複数の導電コンタクト３４が、Ｌ’方向に沿って配列配置されるものとされて配されている。そして、複数の導電コンタクト３４の夫々における絶縁ハウジング３１からその外方に突出する一端は、基板側コネクタ装置３０が取り付けられる基板に設けられた配線パターン部に接続される接続端子を形成している。また、複数の導電コンタクト３４の夫々における他端側の部分は、嵌合凹部３３内に配され、コネクタ装置１１の嵌合凸部１７が嵌合凹部３３との嵌合状態におかれるとき、コネクタ装置１１に配された複数の導電コンタクト１８の接触部分のうちの対応するものが接触接続されるものとされる。
【００５４】
導電性シェル３２にあっては、Ｌ’方向における両端部を構成している端部３５ａ及び３５ｂに、コネクタ装置１１の絶縁ハウジング１５に設けられた嵌合凸部１７が絶縁ハウジング３１及び導電性シェル３２にて構成された嵌合凹部３３との嵌合状態におかれるとき、コネクタ装置１１の導電性シェル１６に設けられた係合突起１６ｃ及び１６ｄが夫々係合することになる、係合孔３６ａ及び３６ｂが夫々設けられている。
【００５５】
また、導電性シェル３２における端部３５ａには、コネクタ装置１１の絶縁ハウジング１５に設けられた嵌合凸部１７が絶縁ハウジング３１及び導電性シェル３２にて構成された嵌合凹部３３との嵌合状態におかれるにあたり、コネクタ装置１１のアライメントカバー１３に設けられた第２の案内部２２ａ及び第１の案内部２３ａが当接した状態で係合することになる両端部の一方としての係合部３８ａが設けられている。同様に、導電性シェル３２における端部３５ｂには、コネクタ装置１１の絶縁ハウジング１５に設けられた嵌合凸部１７が絶縁ハウジング３１及び導電性シェル３２にて構成された嵌合凹部３３との嵌合状態におかれるにあたり、コネクタ装置１１のアライメントカバー１３に設けられた第２の案内部２２ｂ及び第１の案内部２３ｂが当接した状態で係合することになる両端部の一方としての係合部３８ｂが設けられている。
【００５６】
さらに、上述した係合部３８ａの後方側、すなわち図１１における前記Ｌ’方向に直交するＳ方向（矢印Ｓにより示される方向）において導電コンタクト３４の接続端子が配列配置されている側には、係合部３７ａが設けられている。その係合部３７ａは、Ｌ’方向において係合部３８ａより外方に突出するものとされている。同様に、係合部３８ｂの前方側、すなわち前記Ｌ’方向に直交するＳ方向（矢印Ｓにより示される方向）において導電コンタクト３４の接続端子が配列配置されている側には、係合部３７ｂが設けられている。その係合部３７ｂは、Ｌ’方向において係合部３８ｂより外方に突出するものとされている。
【００５７】
このように導電性シェル３２に設けられた係合部３７ａは、前述したコネクタ装置（プラグコネクタ装置）１１のアライメントカバー１３に設けられた第１の案内部２３ａに対応して設けられたものであって、コネクタ装置１１が基板側コネクタ装置（リセプタクルコネクタ装置）３０に嵌合された状態において、図２２に示されるようにアライメントカバー１３の第１の案内部２３ａが、基板側コネクタ装置３０の導電性シェル３２に設けられた係合部３７ａの下方に位置するように配置され、前述した多極配列の方向及び嵌合方向の双方に直交する高さ方向に係合される構成になされている。そして、コネクタ装置１１が基板側コネクタ装置３０に嵌合された状態において、アライメントカバー１３が、多極配列の方向及び嵌合方向の双方に直交する高さ方向の上方に向かって持ち上げられようとした場合、例えば、コネクタ装置１１の嵌合保持部材（ロックバー）２６が「嵌合作用位置」まで回動されている状態から上方に持ち上げられる場合には、アライメントカバー１３の第１の案内部２３ａが、基板側コネクタ装置３０の導電性シェル３２に設けられた係合部３７ａに対して下方から当接し、それによってアライメントカバー１３の全体が高さ方向に良好に保持され、コネクタ本体１２から上方に分離されるような事態が回避されるようになっている。
【００５８】
このような導電性シェル３２における端部３５ａ及び３５ｂは、基板側コネクタ装置（リセプタクルコネクタ装置）３０における両端部を夫々形成している。
【００５９】
さらに、導電性シェル３２には、上述したＬ‘方向（多極配列方向）において多極状をなすように配列配置された複数の導電コンタクト３４を挟む位置において絶縁ハウジング３１からその外部に突出し、基板側コネクタ装置３０が取り付けられる基板に設けられた接地接続部に接続される接地接続端子３９ａ及び３９ｂが設けられている。
【００６０】
そして、絶縁ハウジング３１及び導電性シェル３２を備える基板側コネクタ装置３０は、複数の導電コンタクト３４の夫々の一端が、基板側コネクタ装置３０が取り付けられる基板に設けられた配線パターン部に接続され、また、接地接続端子３９ａ及び３９ｂが、基板側コネクタ装置３０が取り付けられる基板に設けられた接地接続部に接続されて、基板にそれに設けられた電気回路構成部との電気的接続がなされて取り付けられた状態におかれる。
【００６１】
［両コネクタの嵌合動作について］
上述のコネクタ装置（プラグコネクタ装置）１１及び基板側コネクタ装置（リセプタクルコネクタ装置）３０は、基板側コネクタ装置３０が、例えば、ソリッド印刷配線基板とされる基板にそれに設けられた電気回路構成部との電気的接続がなされて取り付けられた状態のもとで、コネクタ装置１１が基板側コネクタ装置３０に係合するものとされ、その際、コネクタ装置１１の絶縁ハウジング１５に設けられた嵌合凸部１７が、基板側コネクタ装置３０の絶縁ハウジング３１及び導電性シェル３２にて構成された嵌合凹部３３に嵌合する。
【００６２】
斯かるコネクタ装置（プラグコネクタ装置）１１の基板側コネクタ装置（リセプタクルコネクタ装置）３０との係合が行われるときには、先ず、複数の同軸ケーブル１４が電気的に連結されたコネクタ装置１１が、その絶縁ハウジング１５に設けられた嵌合凸部１７を、ソリッド印刷配線基板とされる基板に取り付けられた基板側コネクタ装置３０に設けられた嵌合凹部３３に対して、上述したＬ方向（多極配列方向）と直交するＳ方向に対向させる位置に配される。
【００６３】
ここで、基板側コネクタ装置（リセプタクルコネクタ装置）３０の導電性シェル３２におけるＬ’方向（多極配列方向）の一端部３５ａには、それから屈曲して基板側コネクタ装置３０の内部側に向かって片持ち状に伸びる第１の嵌合案内部材としての弾性片部４０ａが設けられており、また、基板側コネクタ装置３０の導電性シェル３２における他端部３５ｂには、それから屈曲して基板側コネクタ装置３０の内部側に向かって片持ち状に伸びる同じく第１の嵌合案内部材としての弾性片部４０ｂが設けられている。
【００６４】
そして、このときのＬ方向（多極配列方向）の両端部分における位置関係は以下の通りとなっている。すなわち、まずコネクタ装置１１のアライメントカバー１３に設けられた係合案内部２４ｂを含む第２の案内部２２ｂ及び第１の案内部２３ｂ並びに絶縁ハウジング１５の一端部分に設けられた第２の嵌合案内部材２５Ｂの端面部２５ｂと、基板側コネクタ装置３０の導電性シェル３２における端部３５ｂとの位置関係は、
（１）係合案内部２４ｂを含む第２の案内部２２ｂが、Ｓ方向において、端部３５ｂに設けられた係合部３８ｂに対応する位置をとり、
（２）第２の嵌合案内部材２５Ｂの端面部２５ｂが、Ｓ方向において、端部３５ｂに設けられた弾性片部（第１の嵌合案内部材）４０ｂに夫々対応する位置をとるものとされる。  
【００６５】
同様に、コネクタ装置１１のアライメントカバー１３に設けられた係合案内部２４ａを含む第２の案内部２２ａ及び第１の案内部２３ａ並びに絶縁ハウジング１５の他端部分に設けられた第２の嵌合案内部材２５Ａの端面部２５ａと、基板側コネクタ装置３０の導電性シェル３２における端部３５ａとの位置関係は、
（１）係合案内部２４ａを含む第２の案内部２２ａが、Ｓ方向において、端部３５ａに設けられた係合部３８ａに対応する位置をとり、
（２）第２の嵌合案内部材２５Ａの端面部２５ａが、Ｓ方向において、端部３５ａに設けられた弾性片部（第１の嵌合案内部材）４０ａに夫々対応する位置をとるものとされている。
【００６６】
次に、コネクタ装置（プラグコネクタ装置）１１が、Ｓ方向において基板側コネクタ装置（リセプタクルコネクタ装置）３０に向かう向きに移動せしめられるが、その場合における両コネクタ装置１１，３０同士の位置関係は、Ｌ方向（多極配列方向）において多少の位置ズレが生ずることとなる。例えば、図１５に示されるように、コネクタ装置１１のアライメントカバー１３の一方側（図１５の右方側）に設けられた係合案内部２４ｂ及び第２の案内部２２ｂが、基板側コネクタ装置３０の導電性シェル３２における端部３５ｂに設けられた係合部３８ｂに対して当接しない程度までＬ方向に位置ズレした状態となる。このような位置ズレの結果、コネクタ装置１１のアライメントカバー１３の他方側（図１５の左方側）に設けられた係合案内部２４ａ及び第２の案内部２２ａが、基板側コネクタ装置３０の導電性シェル３２における端部３５ａに設けられた係合部３８ａの前端側角部に当接した状態となる。
【００６７】
なお、コネクタ装置（プラグコネクタ装置）１１におけるアライメントカバー１３によって覆われた部分を示すため、図１５〜図２０にあっては、便宜上、コネクタ装置１１が、アライメントカバー１３の両側端部分が破断除去されて示されている。
【００６８】
斯かる際、第２の案内部２２ａの前方側部分には、Ｌ方向（多極配列方向）の外方側に屈曲されて傾斜面を成す係合案内部２４ａが形成されており、当該係合案内部２４ａによって第２の案内部２２ａが係合部３８ａへと案内されることになる。すなわち、図１６に示されているように、第２の案内部２２ａが、上述した係合案内部２４ａから係合部３８ａに向かってＬ方向の位置ズレを生じながら係合部３８ａに対して外方側から当接した係合状態が容易かつ円滑に得られる。この段階でのＬ方向の位置ズレは、本発明でいう第１段階の嵌合位置合わせとなる。
【００６９】
このようにして、Ｌ方向（多極配列方向）における片側の係合部３８ａに係合する状態をとなった第２の案内部２２ａは、コネクタ装置（プラグコネクタ装置）１１の絶縁ハウジング１５について、その位置及び向きを規制し、さらに、その移動方向をＳ方向に定めるべく規制したもとでの案内を行う。そして、上述の図１５〜図１６に示される状態のもとにあっては、コネクタ装置１１の絶縁ハウジング１５における嵌合凸部１７は、未だ基板側コネクタ装置（リセプタクルコネクタ装置）３０の絶縁ハウジング３１及び導電性シェル３２にて構成された嵌合凹部３３の位置には達していない。
【００７０】
続いて、コネクタ装置（プラグコネクタ装置）１１が、そのアライメントカバー１３に設けられた片側の第２の案内部２２ａを、基板側コネクタ装置（リセプタクルコネクタ装置）３０の導電性シェル３２に設けられた片側の係合部３８ａに係合させたもとで、Ｓ方向において基板側コネクタ装置３０に向かう向きに更に移動せしめられる。それにより、図１７に示されるように、第２の案内部２２ａが係合部３８ａに対して係合しながら、第１の案内部２３ａの前方側傾斜面が、係合部３８ａの前端側角部に当接し、当該傾斜面によって第１の案内部２３ａが係合部３８ａへと案内されることになって、第１の案内部２３ａが係合部３８ａに外方側から当接して係合する状態が容易かつ円滑に得られる。その結果、コネクタ装置１１のアライメントカバー１３に設けられた第１の案内部２３ａは、図１８に示されているように、基板側コネクタ装置３０の導電性シェル３２における端部３５ａに設けられた係合部３８ａに対して外方側から係合する状態がとられる。
【００７１】
このように、本実施形態においては、第２の嵌合部１７の第１の嵌合部３３との嵌合にあたり、第２の案内部２２ａ，２２ｂが、相手側コネクタ装置（リセプタクルコネクタ装置）３０の両端部に設けられた係合部３８ａ，３８ｂに係合して絶縁ハウジング１５についての案内を行う構成と、第１の案内部２３ａ，２３ｂが、係合部３８ａ，３８ｂに係合する構成と、を備えている。
【００７２】
斯かる第１の案内部２３ａの係合部３８ａとの係合は、第１の案内部２３ａが係合部３８ａに係合することにより、コネクタ装置（プラグコネクタ装置）１１の絶縁ハウジング１５が、その位置及び向きが規制されるとともにその移動方向がＳ方向に規制されて案内されるもとで行われ、従って、第１の案内部２３ａが係合部３８ａに係合する状態が容易かつ円滑に得られる。すなわち、前述したコネクタ装置１１に設けられた第２の案内部２２ａ，２２ｂと、相手側コネクタ装置３０の両端部３８ａ，３８ｂとの当接部位は、コネクタ装置１１に設けられた第１の案内部２３ａ，２３ｂと、相手側コネクタ装置３０の両端部３８ａ，３８ｂとの当接部位に対して、Ｌ方向（多極配列方向）に離間した位置に設定されていることによって、上述した段階において、Ｌ方向（多極配列方向）における第２段階の嵌合位置合わせが行われる構成になされており、それによって嵌合の位置合わせに必要な構成が簡易化される。
【００７３】
ここで、前述したように本実施形態では、コネクタ装置（プラグコネクタ装置）１１に設けられた第１の案内部２３ａ，２３ｂが金属材からなるとともに、相手コネクタ装置（リセプタクルコネクタ）３０が、絶縁ハウジング３１を覆う金属材からなる導電性シェル３２を備えており、その相手コネクタ装置３０の一部であって、コネクタ装置１１の第１の案内部２３ａ，２３ｂと係合する部分である係合部３７ａ，３７ｂ，３８ａ，３８ｂが、導電性シェル３２の一部により構成されている。その結果、相手側コネクタ装置３０との嵌合時に、コネクタ装置（プラグコネクタ装置）１１に設けられた第１の案内部２３ａ，２３ｂが、相手コネクタ装置３０の導電性シェル３２の一部である係合部３７ａ，３７ｂ，３８ａ，３８ｂに対して金属同士の接触として係合されることとなり、嵌合時における強度が高められるようになっている。
【００７４】
このような図１７〜図１８に示される状態のもとにあっても、コネクタ装置（プラグコネクタ装置）１１の絶縁ハウジング１５における嵌合凸部１７は、未だ基板側コネクタ装置（リセプタクルコネクタ装置）３０の絶縁ハウジング３１及び導電性シェル３２にて形成された嵌合凹部３３の位置には達していない。
【００７５】
その後、コネクタ装置（プラグコネクタ装置）１１が、アライメントカバー１３に設けられた第１の案内部２３ａを基板側コネクタ装置（リセプタクルコネクタ装置）３０の導電性シェル３２に設けられた係合部３８ａに係合させた状態が維持されながら、Ｓ方向において基板側コネクタ装置３０に向かう向きに更に移動せしめられる。
【００７６】
それにより、図１８に示されるように、Ｌ方向（多極配列方向）における他方側（図１８の左方側）の端部に設けられた第１の案内部２３ａが係合部３８ａに係合した状態が維持されつつ、基板側コネクタ装置３０の導電性シェル３２の一方側（図１８の右方側）の端部３５ｂに設けられた第１の嵌合案内部材としての弾性片部４０ｂの湾曲面に対して、絶縁ハウジング１５の一方側（図１８の右方側）の端部分に設けられた第２の嵌合案内部材２５Ｂが、Ｓ方向に当接する。そして、当該弾性片部４０ｂの湾曲面によって第２の嵌合案内部材２５Ｂが、弾性片部４０ｂの内側面（図１８の左方側面）に沿って同方向に案内されることになって、第２の嵌合案内部材２５Ｂが弾性片部４０ｂの内方側から当接して係合する状態が容易かつ円滑に得られる。
【００７７】
その結果、コネクタ装置（プラグコネクタ装置）１１のアライメントカバー１３の一方側（図１８の右方側）に設けられた第２の嵌合案内部材２５Ｂの端面部２５ｂが、基板側コネクタ装置（リセプタクルコネクタ装置）３０の導電性シェル３２に設けられた弾性片部４０ｂに係合する状態がとられ、アライメントカバー１３の他方側（図１８の左方側）に設けられた第２の嵌合案内部材２５Ａの端面部２５ａが、基板側コネクタ装置３０の導電性シェル３２に設けられた弾性片部４０ａに係合する状態がとられる。
【００７８】
このとき、図１９に示されるように、基板側コネクタ装置（リセプタクルコネクタ装置）３０の導電性シェル３２における端部３５ｂの係合孔３６ｂが設けられた部分が、Ｌ方向及びＳ方向の両者に直交する方向において、コネクタ装置（プラグコネクタ装置）１１の導電性シェル１６における係合突起１６ｄが設けられた部分とアライメントカバー１３の平板状部２０における端部との間となる位置に配される。同様に、基板側コネクタ装置３０の導電性シェル３２における端部３５ａの係合孔３６ａが設けられた部分が、Ｌ方向及びＳ方向の両者に直交する方向において、コネクタ装置１１の導電性シェル１６における係合突起１６ｃが設けられた部分とアライメントカバー１３の平板状部２０における端部との間となる位置に配される。
【００７９】
斯かるもとで行われるコネクタ装置（プラグコネクタ装置）１１のＳ方向における移動は、図２０に示されているように、例えば、コネクタ装置１１の導電性シェル１６における両端部１６ａ及び１６ｂが、基板側コネクタ装置（リセプタクルコネクタ装置）３０の導電性シェル３２の端部３５ａにおける弾性片部４０ａが設けられた部分及び端部３５ｂにおける弾性片部４０ｂが設けられた部分に夫々当接する状態となるまで行われる。そして、コネクタ装置１１の導電性シェル１６における両端部１６ａ及び１６ｂが、基板側コネクタ装置３０の導電性シェル３２の端部３５ａにおける弾性片部４０ａが設けられた部分及び端部３５ｂにおける弾性片部４０ｂが設けられた部分に夫々当接し、コネクタ装置１１のＳ方向における移動が終了した状態がとられるときには、コネクタ装置１１の導電性シェル１６に設けられた係合突起１６ｃ及び１６ｄが、基板側コネクタ装置３０の導電性シェル３２における端部３５ａ及び３５ｂに設けられた係合孔３６ａ及び３６ｂに夫々係合する。
【００８０】
このようにして、コネクタ装置（プラグコネクタ装置）１１の導電性シェル１６に設けられた係合突起１６ｃ及び１６ｄが、基板側コネクタ装置（リセプタクルコネクタ装置）３０の導電性シェル３２における端部３５ａ及び３５ｂに設けられた係合孔３６ａ及び３６ｂに夫々係合するときには、コネクタ装置１１の絶縁ハウジング１５における嵌合凸部１７は、基板側コネクタ装置３０の絶縁ハウジング３１及び導電性シェル３２にて構成された嵌合凹部３３の位置に達していて、嵌合凸部１７が嵌合凹部３３に嵌合した状態におかれる。その結果、コネクタ装置１１に配置された導電コンタクト１８の接触部分（電極部）が、基板側コネクタ装置３０に配置されている導電コンタクト３４の接点部に対して弾性的に圧接した状態で接触し、それによって電気的な接続が行われる。
【００８１】
次いで、「嵌合開放位置」にある嵌合保持部材（ロックバー）２６が、図２１に示されているように「嵌合作用位置」に向かって回動され、それによって当該嵌合保持部材２６の連結腕部２６ｇ，２６ｈがバーロック部２７ａ，２７ｂの下方に夫々落ち込むことで嵌合保持部材２６が保持状態になされ、コネクタ装置（プラグコネクタ装置）１１と基板側コネクタ装置（リセプタクルコネクタ装置）３０との嵌合状態が維持される。
【００８２】
このように本実施形態においては、第２の嵌合部である嵌合凸部１７の第１の嵌合部である嵌合凹部３３との嵌合にあたって、例えば、コネクタ装置（プラグコネクタ装置）１１のＬ方向（多極配列方向）における片側の第２の案内部２２ａが、相手側コネクタ装置（リセプタクルコネクタ装置）３０の多極配列の方向における片側の端部３８ａに当接することで、多極配列方向における第１段階の嵌合位置合わせを行う構成になされているとともに、相手側コネクタ装置３０における他方側の第１の嵌合案内部材４０ｂにコネクタ装置１１における他方側の第２の嵌合案内部材２５Ｂが接触する前の段階において、コネクタ装置１１における片側の第１の案内部２３ａが、相手側コネクタ装置３０の片側の端部３８ａに当接することで、多極配列方向における第２段階の嵌合位置合わせを行う構成になされている。
【００８３】
即ち、コネクタ装置（プラグコネクタ装置）１１が、基板側コネクタ装置（リセプタクルコネクタ装置）３０の導電性シェル３２に設けられた係合部３８ａに係合する第２及び第１の案内部２２ａ及び２３ａと、基板側コネクタ装置３０の導電性シェル３２に設けられた係合部３８ｂに係合する第２及び第１の案内部２２ｂ及び２３ｂと、が設けられたアライメントカバー１３によって、絶縁ハウジング１５についての、基板側コネクタ装置３０に対する、位置，向き及び移動方向が規制されての案内が行われるもとで、基板側コネクタ装置３０に向かう向きに移動せしめられることにより、コネクタ装置１１の絶縁ハウジング１５における嵌合凸部１７が基板側コネクタ装置３０の絶縁ハウジング３１及び導電性シェル３２にて構成された嵌合凹部３３に嵌合する状態が得られるのである。従って、嵌合凸部１７が嵌合凹部３３に嵌合する状態は、容易かつ円滑に得られることになる。
【００８４】
さらに、コネクタ装置（プラグコネクタ装置）１１の導電性シェル１６に設けられた係合突起１６ｃ及び１６ｄが、基板側コネクタ装置（リセプタクルコネクタ装置）３０の導電性シェル３２における端部３５ａ及び３５ｂに設けられた係合孔３６ａ及び３６ｂに夫々係合したときには、コネクタ装置１１の導電性シェル１６における係合突起１６ｃ及び１６ｄが設けられた部分と基板側コネクタ装置３０の導電性シェル３２における端部３５ａ及び３５ｂの係合孔３６ａ及び３６ｂが設けられた部分との関係は、コネクタ装置１１の導電性シェル１６における係合突起１６ｃ及び１６ｄが設けられた部分が、図１９に示される状態から、さらに、Ｓ方向において基板側コネクタ装置３０側に移動した位置をとるものとされ、基板側コネクタ装置３０の導電性シェル３２における端部３５ａ及び３５ｂの係合孔３６ａ及び３６ｂが設けられた部分が、Ｌ方向及びＳ方向の両者に直交する方向において、コネクタ装置１１の導電性シェル１６における係合突起１６ｃ及び１６ｄが設けられた部分とアライメントカバー１３の平板状部２０における端部とによって挟まれたものとされる。
【００８５】
このように、基板側コネクタ装置（リセプタクルコネクタ装置）３０の導電性シェル３２における端部３５ａ及び３５ｂの係合孔３６ａ及び３６ｂが設けられた部分が、Ｌ方向及びＳ方向の両者に直交する方向において、コネクタ装置１１の導電性シェル１６における係合突起１６ｃ及び１６ｄが設けられた部分とアライメントカバー１３の平板状部２０における端部とによって挟まれたものとされることにより、Ｌ方向及びＳ方向の両者に直交する方向における、基板側コネクタ装置３０に対するコネクタ装置１１の姿勢変動が阻止され、コネクタ装置１１と基板側コネクタ装置３０との相互係合状態が安定に維持される。
【００８６】
その後、コネクタ装置（プラグコネクタ装置）１１及び基板側コネクタ装置（リセプタクルコネクタ装置）３０が、相互係合状態を解除すべく、コネクタ装置１１の絶縁ハウジング１５における嵌合凸部１７が、基板側コネクタ装置３０の絶縁ハウジング３１及び導電性シェル３２にて構成された嵌合凹部３３から抜脱されるにあたっては、嵌合凸部１７が嵌合凹部３３との嵌合状態におかれたコネクタ装置１１が、Ｓ方向において基板側コネクタ装置３０から離隔する向きに移動せしめられる。その際、基板側コネクタ装置３０の導電性シェル３２における端部３５ａ及び３５ｂの係合孔３６ａ及び３６ｂが設けられた部分が、Ｌ方向及びＳ方向の両者に直交する方向において、コネクタ装置１１の導電性シェル１６における係合突起１６ｃ及び１６ｄが設けられた部分とアライメントカバー１３の平板状部２０における端部とによって挟まれたものとされているので、基板側コネクタ装置３０に対してコネクタ装置１１がＬ方向及びＳ方向の両者に直交する方向に変位する事態が防止され、コネクタ装置１１の絶縁ハウジング１５における嵌合凸部１７が、基板側コネクタ装置３０の絶縁ハウジング３１及び導電性シェル３２にて構成された嵌合凹部３３から、“こじり”を生じることなく、Ｓ方向に適正に抜脱される。
【００８７】
また、コネクタ装置１１の嵌合凸部１７が基板側コネクタ装置３０の嵌合凹部３３から抜脱される際、基板側コネクタ装置３０の導電性シェル３２の端部３５ａ及び３５ｂにおける係合部３８ａ及び３８ｂと弾性片部４０ａ及び４０ｂとが設けられた部分が、コネクタ装置１１の絶縁ハウジング１５における端面部２５ａ及び２５ｂとそれに対向する案内部２３ａ及び２３ｂとによって挟まれるものとされているので、基板側コネクタ装置３０に対してコネクタ装置１１がＬ方向に変位する事態が防止され、それにより、コネクタ装置１１の嵌合凸部１７が、基板側コネクタ装置３０の嵌合凹部３３から、“こじり”を生じることなく、Ｓ方向に適正に抜脱される。
【００８８】
続いて、コネクタ装置（プラグコネクタ装置）１１が、基板側コネクタ装置（リセプタクルコネクタ装置）３０の導電性シェル３２に設けられた係合部３７ａ及び３８ａに夫々係合する第１及び第２の案内部２２ａ，２３ａと、基板側コネクタ装置３０の導電性シェル３２に設けられた係合部３７ｂ及び３８ｂに夫々係合する第１及び第２の案内部２２ｂ，２３ｂと、が設けられたアライメントカバー１３によって、絶縁ハウジング１５についての、基板側コネクタ装置３０に対する、位置，向き及び移動方向が規制されての案内が行われるもとで、基板側コネクタ装置３０から離れる向きに移動せしめられ、それにより、コネクタ装置１１の基板側コネクタ装置３０からの離脱が容易かつ円滑に行われる。
【００８９】
上述のコネクタ装置１１にあっては、そのコネクタ本体部１２に取り付けられるアライメントカバー１３が、コネクタ本体部１２に、例えば、それが備える導電性シェル１６に半田付けされて、固定されるものとされているが、アライメントカバー１３は、コネクタ本体部１２に対して着脱可能なものとされてもよいし、さらに当該アライメントカバー１３が、導電性シェル１６の上面側半体を兼用する構成を採用することも可能である。
【産業上の利用可能性】
【００９０】
以上のような本願発明に係るコネクタ装置は、絶縁ハウジングに設けられて複数の導電コンタクトにおける接触部分が配列配置される嵌合部を、相手側コネクタ装置に設けられた嵌合部に嵌合させて、複数の導電コンタクトにおける接触部分を相手側コネクタ装置に配された導電コンタクトに接触接続させるにあたり、絶縁ハウジングに設けられた嵌合部の相手側コネクタ装置に設けられた嵌合部との嵌合が適正かつ円滑に行われるようになす状態を、容易かつ円滑に得ることができるものとして、様々な電子機器等に広く適用され得るものである。
【符号の説明】
【００９１】
１１  コネクタ装置（プラグコネクタ）
１２  コネクタ本体部
１３  アライメントカバー
１４  同軸ケーブル
１５  絶縁ハウジング
１６  導電性シェル
１６ａ，１６ｂ  端部
１７  嵌合凸部
１８  導電コンタクト
２０  平板状部
２１ａ，２１ｂ  係合部
２２ａ，２２ｂ  第２の案内部
２３ａ，２３ｂ  第１の案内部
２４ａ，２４ｂ  係合案内部
２５Ａ，２５Ｂ  第２の嵌合案内部材
２５ａ，２５ｂ  端面部
２６  嵌合保持部材（ロックバー）
２６ａ，２６ｂ  回動軸部
２６ｃ，２６ｄ  軸受け部
２６ｅ，２６ｆ  バネ規制部材
２６ｇ，２６ｈ  連結腕部
２６ｉ  回動操作部
２７ａ，２７ｂ  バーロック部
３０  相手側コネクタ装置（リセプタクルコネクタ装置）
３１  絶縁ハウジング
３２  導電性シェル
３３  嵌合凹部
３４  導電コンタクト
３５ａ，３５ｂ  端部
３６ａ，３６ｂ  係合孔
３７ａ，３７ｂ  係合部
３８ａ，３８ｂ  係合部
３９ａ，３９ｂ  接地接続端子
４０ａ，４０ｂ  弾性片部（第１の嵌合案内部材）
【図１】
0006634856.tif 000002
【図２】
0006634856.tif 000003
【図３】
0006634856.tif 000004
【図４】
0006634856.tif 000005
【図５】
0006634856.tif 000006
【図６】
0006634856.tif 000007
【図７】
0006634856.tif 000008
【図８】
0006634856.tif 000009
【図９】
0006634856.tif 000010
【図１０】
0006634856.tif 000011
【図１１】
0006634856.tif 000012
【図１２】
0006634856.tif 000013
【図１３】
0006634856.tif 000014
【図１４】
0006634856.tif 000015
【図１５】
0006634856.tif 000016
【図１６】
0006634856.tif 000017
【図１７】
0006634856.tif 000018
【図１８】
0006634856.tif 000019
【図１９】
0006634856.tif 000020
【図２０】
0006634856.tif 000021
【図２１】
0006634856.tif 000022
【図２２】
0006634856.tif 000023